【手続補正書】
【提出日】平成24年5月29日(2012.5.29)
【手続補正１】
【補正対象書類名】明細書
【補正対象項目名】０１００
【補正方法】変更
【補正の内容】
【０１００】
以上、本発明の多くの実施形態について述べた。しかしながら、本発明から逸脱することなく様々な改変を行いうることが理解されるであろう。本明細書に示した指標の範囲内で、特定の目的で望まれるように壁修理用混合物の組成を変えることが可能である。例えば、本発明者らは、調合物中のガラス気泡の量をセラミックマイクロスフェアの量に対して増やすことによって、サンディングが容易な乾燥した混合物が得られることを見出した。更なる実施例では、本発明者らは、調合物中のセラミックマイクロスフェアの量をガラス気泡の量に対して増やすことによって、より硬度の高い乾燥した混合物が得られることを見出した。こうした調整を行ううえで、又は一般的に、混合物の粘度は、水性結合剤ラテックスの量及び／又は添加する水の量を増やすかあるいは減らすことによって望みどおりに変化させることができる。本発明者は、こうした変更及び組み合わせはすべて、考案された発明の範囲に含まれるものと考える。したがって、これらの実施形態はすべて、以下の特許請求の範囲に含まれるものである。
本願発明に関連する発明の実施形態について以下に列挙する。
[実施形態１]
壁修理用混合物であって、
約２０重量％〜約８０重量％の水性ラテックス結合剤エマルションと、
そのほぼ１００重量％が合成無機充填剤によって構成される約２０重量％〜約７０重量％の無機充填剤系と、
少なくとも１個のエーテル結合を有し、かつ１個以下の水酸基を有する約０．０２５重量％〜約２．５重量％の少なくとも１種類の有機エーテル平滑剤と、
約０．１重量％未満の有機ポリマー増粘剤と、
を含む、壁修理用混合物。
[実施形態２]
前記合成無機充填剤がほぼ球形の合成粒子を含み、前記粒子が比較的大径のガラス気泡と比較的小径のセラミックマイクロスフェアとを含み、前記セラミックマイクロスフェアの中央粒径に対する前記ガラス気泡の中央粒径の比が約５：１〜約４０：１の範囲内である、実施形態１に記載の混合物。
[実施形態３]
前記セラミックマイクロスフェアの中央粒径に対する前記ガラス気泡の中央粒径の比が約１０：１〜約３０：１の範囲内である、実施形態２に記載の混合物。
[実施形態４]
前記ガラス気泡の中央粒径の比が約３０ミクロン〜約６５ミクロンの範囲内であり、前記セラミックマイクロスフェアの中央粒径が約２ミクロン〜約１０ミクロンの範囲内である、実施形態２に記載の混合物。
[実施形態５]
前記セラミックマイクロスフェアに対する前記ガラス気泡の重量比が約１：１〜約３：１である、実施形態２に記載の混合物。
[実施形態６]
前記合成無機充填剤が約０．５重量％未満の結晶性物質を含む、実施形態１に記載の混合物。
[実施形態７]
前記無機充填剤系が前記混合物の約３０重量％〜約６０重量％を構成する、実施形態１に記載の混合物。
[実施形態８]
前記無機充填剤系が前記混合物の約４０重量％〜約５０重量％を構成する、実施形態７に記載の混合物。
[実施形態９]
前記有機エーテル平滑剤が前記混合物の約０．０５重量％〜約１．５重量％で存在する、実施形態１に記載の混合物。
[実施形態１０]
前記有機エーテル平滑剤が前記混合物の約０．１５重量％〜約０．５重量％で存在する、実施形態９に記載の混合物。
[実施形態１１]
前記少なくとも１種類の有機エーテル平滑剤がちょうど１個の水酸基とちょうど１個のエーテル結合とを有し、プロピレングリコールブチルエーテル、プロピレングリコールメチルエーテル、プロピレングリコールプロピルエーテル、プロピレングリコールフェニルエーテル、エチレングリコールブチルエーテル、エチレングリコールプロピルエーテル、エチレングリコールヘキシルエーテル、及びエチレングリコールフェニルエーテル、並びにこれらの混合物からなる群から選択される、実施形態１に記載の混合物。
[実施形態１２]
前記少なくとも１種類の有機エーテル平滑剤がちょうど１個の水酸基とちょうど２個のエーテル結合とを有し、ジプロピレングリコールブチルエーテル、ジプロピレングリコールメチルエーテル、ジプロピレングリコールプロピルエーテル、ジエチレングリコールブチルエーテル、ジエチレングリコールメチルエーテル、ジエチレングリコールヘキシルエーテル、及びジエチレングリコールエチルエーテル、並びにこれらの混合物、並びにこれらとちょうど１個のエーテル結合を有する有機エーテルとの混合物からなる群から選択される、実施形態１に記載の混合物。
[実施形態１３]
前記少なくとも１種類の有機エーテル平滑剤がちょうど１個の水酸基とちょうど３個のエーテル基とを有し、トリプロピレングリコールメチルエーテル、トリエチレングリコールブチルエーテル、トリエチレングリコールエチルエーテル、トリエチレングリコールメチルエーテル、並びにこれらの混合物、並びにこれらと１個又は２個のエーテル結合を有する有機エーテルとの混合物からなる群から選択される、実施形態１に記載の混合物。
[実施形態１４]
前記少なくとも１種類の有機エーテル平滑剤が水酸基を有さず、かつ少なくとも１個のエーテル結合を有し、ジプロピレングリコールジメチルエーテル、プロピレングリコールメチルエーテルアセテート、ジプロピレングリコールメチルエーテルアセテート、エチレングリコールブチルエーテルアセテート、ジエチレングリコールブチルエーテルアセテート、並びにこれらの混合物、並びにこれらとちょうど１個の水酸基を有する有機エーテルとの混合物からなる群から選択される、実施形態１に記載の混合物。
[実施形態１５]
約０．０５重量％未満の有機ポリマー増粘剤を含む、実施形態１に記載の混合物。
[実施形態１６]
約０．０２重量％未満の有機ポリマー増粘剤を含む、実施形態１５に記載の混合物。
[実施形態１７]
約０．１重量％未満の無機増粘充填剤粘土を含む、実施形態１に記載の混合物。
[実施形態１８]
約０．１重量％未満の低分子量ポリヒドロキシ添加剤を含む、実施形態１に記載の混合物。
[実施形態１９]
前記水性ラテックス結合剤エマルションが、１５℃〜３５℃のガラス転移温度を有する結合剤を含む、実施形態１に記載の混合物。
[実施形態２０]
前記水性ラテックス結合剤エマルションが、２０℃〜３０℃のガラス転移温度を有する結合剤を含む、実施形態１９に記載の混合物。
[実施形態２１]
前記水性ラテックス結合剤エマルションが、混合物の約３０重量％〜約７０重量％を構成する、実施形態１に記載の混合物。
[実施形態２２]
前記水性ラテックス結合剤エマルションが、混合物の約４０重量％〜約６０重量％を構成する、実施形態２１に記載の混合物。
[実施形態２３]
前記水性ラテックス結合剤エマルションがアクリル結合剤を含む、実施形態１に記載の混合物。
[実施形態２４]
約０．１重量％〜約０．８重量％の防腐剤を更に含む、実施形態１に記載の混合物。
[実施形態２５]
オイル、ワックス、及びこれらの混合物からなる群から選択される１つ以上の塵芥低減剤を更に含む、実施形態１に記載の混合物。
【手続補正２】
【補正対象書類名】特許請求の範囲
【補正対象項目名】全文
【補正方法】変更
【補正の内容】
【特許請求の範囲】
【請求項１】
壁修理用混合物であって、
２０重量％〜８０重量％の水性ラテックス結合剤エマルションと、
そのほぼ１００重量％が合成無機充填剤によって構成される２０重量％〜７０重量％の無機充填剤系と、
少なくとも１個のエーテル結合を有し、かつ１個以下の水酸基を有する０．０２５重量％〜２．５重量％の少なくとも１種類の有機エーテル平滑剤と、
０．１重量％未満の有機ポリマー増粘剤と、
を含む、壁修理用混合物。
【請求項２】
前記合成無機充填剤がほぼ球形の合成粒子を含み、前記粒子が比較的大径のガラス気泡と比較的小径のセラミックマイクロスフェアとを含み、前記セラミックマイクロスフェアの中央粒径に対する前記ガラス気泡の中央粒径の比が５：１〜４０：１の範囲内である、請求項１に記載の混合物。